(57)【特許請求の範囲】
【請求項１】
それぞれに形成したヒンジ軸とヒンジ軸受とを相互に嵌合して回転自在としたコンクリート躯体側と扉側のヒンジ部材を備えてコンクリート躯体に対して扉を固定自在としたヒンジ金物であって，上記コンクリート躯体側のヒンジ部材を，ヒンジ軸又はヒンジ軸受を有するボデイと，該ボデイに形成した内外方向の長孔を介して該ボデイを貫通するボルトと，該ボルトを螺装するねじ穴を後端に形成したねじ棒と，該ねじ棒に螺装した少なくとも一対のナットとを具備して，コンクリート躯体埋込設置のアンカーに上記ねじ棒を螺装することによってコンクリート躯体固定用とするとともに該ヒンジ部材の上記ボルトを上記一対のうちボデイ側に位置するナットとともにボデイを挟着することによってボデイに対して上記長孔の範囲でねじ棒を内外方向調整自在に締着固定する内外方向調整用とし，上記アンカー側に位置するナットを上記アンカーに螺装したねじ棒を突出長さ調整自在に締着固定する間口方向調整用とすることによって，コンクリート躯体に対して内外方向と間口方向の２方向の調整を自在としてなることを特徴とするコンクリート躯体直付け用のヒンジ金物。
【請求項２】
上記一対のうちボデイ側に位置するナットを，ねじ棒の後端に螺装する袋ナット状のナットとし，上記ボルトを，該ボデイ側に位置するナットの後端に透設した透孔を介してねじ棒のねじ穴に螺装可能としてなることを特徴とする請求項１に記載のコンクリート躯体直付け用のヒンジ金物。
【請求項３】
上記一対のうちボデイ側に位置するナットを，ねじ棒の後端に螺装する袋ナット状のナットとし，ボルトを螺装するねじ穴を，上記ねじ棒の後端に代えて，該ボデイ側に位置するナットの後端に形成してなることを特徴とする請求項１に記載のコンクリート躯体直付け用のヒンジ金物。
【請求項４】
上記一対ボデイ側に位置するナットを，ボデイの長孔縁部にナット受止部を形成するように該ボデイに刳り貫き形成したナット受入部に嵌合することによって，該ボデイをナットに対して起立可能としてなることを特徴とする請求項１，２又は３に記載のコンクリート躯体直付け用のヒンジ金物。
【請求項５】
上記ボルトを，ボデイの長孔縁部にボルト頭受入部を形成するようにボデイを刳り貫き形成したボルト受入部に受入れることによって，該ボルト頭をボデイに収納してなることを特徴とする請求項１，２又は３に記載のコンクリート躯体直付け用のヒンジ金物。
【請求項６】
上記扉側のヒンジ部材が，扉に上下方向調節自在に固定可能であることによって，上下方向を含めた３方向の調整を自在としてなることを特徴とする請求項１，２，３又は４に記載のコンクリート躯体直付け用のヒンジ金物。
【発明の詳細な説明】
【０００１】
【発明の属する技術分野】
本発明は，コンクリート躯体に門扉，ドア等の扉を開閉自在に吊り固定するに用いるコンクリート躯体直付け用のヒンジ金物に関する。
【０００２】
【従来の技術】
例えばビルの入口に門扉を設置したり，住戸の独立性を高めるように，マンションの各住戸入口に戸建て住宅と同様に門扉を設置したりするように，垂直なフラット面をなすコンクリート壁面，コンクリート柱面等コンクリート躯体に門扉を吊り固定するケースも多いが，この場合，扉の吊り固定は，支柱付きの門扉を使用し，コンクリート躯体の間口内側にその支柱を立設し，該支柱と扉間にヒンジ金物を介設することによって行なうのが一般であり，このとき支柱側のヒンジ部材は，例えば間口方向の長孔を形成したものとし，これを上記立設した支柱の背面に対して長孔を介してネジ止めすることによって，該長孔の範囲で間口方向の調整を可能とし，例えば内外方向の長孔を形成したものとして，これを支柱の側面に対して同じく長孔を介してネジ止めすることによって，同様に内外方向の調整を可能とし，一方扉側のヒンジ部材は，例えばこれを扉に対して上下方向スライド自在にネジ止めすることによって，その上下方向の調整を可能とするものとされる。ヒンジ金物は，内外方向，間口方向，上下方向の３方向の調整を行なえるようにすることが好ましいが，一般には支柱側のヒンジ部材を上記間口方向，内外方向のいずれか一方の１方向調整自在の形態とし，扉側のヒンジ部材の上下方向の調整と合わせて，ヒンジ金物を２方向調整自在の形態のものとして構成することが多い。
【０００３】
【発明が解決しようとする課題】
しかし乍らこの場合，コンクリート躯体の間口内に支柱を立設することによって，間口が上記立設した支柱の太さ分狭くなって，充分な開口を得られなくなってしまうという問題点が残されており，一方，上記ヒンジ金物をコンクリート躯体に直付けできるようにコンクリート躯体直付け用のものとして構成しようとしても，垂直なフラット面をなす該コンクリート躯体には，上記支柱の背面に相当する，間口方向に突出するような部分がないから，上記支柱側のヒンジ部材をコンクリート躯体直付け用としても，これに対して固定する方法がなく，従って上記内外方向の調整を可能とするように構成することはできても，間口方向の調整を行なうものとして構成することは不可能である。
【０００４】
本発明はかかる事情に鑑みてなされたもので，その解決課題とするところは，第１に，コンクリート躯体に扉を吊り固定するについて，可及的に簡易な構造にしてコンクリート躯体に対して内外方向と間口方向の２方向の調整を自在とするコンクリート躯体側のヒンジ部材を有するコンクリート直付け用のヒンジ金物を提供するにあり，第２に，扉側のヒンジ部材における上下方向の調整を加えて３方向の調整を自在とするコンクリート躯体直付け用のヒンジ金物を提供するにある。
【０００５】
【課題を解決するための手段】
上記第１の課題に添って請求項１に記載の発明を，それぞれに形成したヒンジ軸とヒンジ軸受とを相互に嵌合して回転自在としたコンクリート躯体側と扉側のヒンジ部材を備えてコンクリート躯体に対して扉を固定自在としたヒンジ金物であって，上記コンクリート躯体側のヒンジ部材を，ヒンジ軸又はヒンジ軸受を有するボデイと，該ボデイに形成した内外方向の長孔を介して該ボデイを貫通するボルトと，該ボルトを螺装するねじ穴を後端に形成したねじ棒と，該ねじ棒に螺装した少なくとも一対のナットとを具備して，コンクリート躯体埋込設置のアンカーに上記ねじ棒を螺装することによってコンクリート躯体固定用とするとともに該ヒンジ部材の上記ボルトを上記一対のうちボデイ側に位置するナットとともにボデイを挟着することによってボデイに対して上記長孔の範囲でねじ棒を内外方向調整自在に締着固定する内外方向調整用とし，上記アンカー側に位置するナットを上記アンカーに螺装したねじ棒を突出長さ調整自在に締着固定する間口方向調整用とすることによって，コンクリート躯体に対して内外方向と間口方向の２方向の調整を自在としてなることを特徴とするコンクリート躯体直付け用のヒンジ金物とし，請求項２及び３に記載の発明は，上記コンクリート躯体側のヒンジ部材におけるナット，特にボデイ側に位置するナットの形態を特定することによって，好ましい形態を支持ように，請求項２に記載の発明を，上記一対のうちボデイ側に位置するナットを，ねじ棒の後端に螺装する袋ナット状のナットとし，上記ボルトを，該ボデイ側に位置するナットの後端に透設した透孔を介してねじ棒のねじ穴に螺装可能としてなることを特徴とする請求項１に記載のコンクリート躯体直付け用のヒンジ金物とし，また請求項３に記載の発明を，上記一対のうちボデイ側に位置するナットを，ねじ棒の後端に螺装する袋ナット状のナットとし，ボルトを螺装するねじ穴を，上記ねじ棒の後端に代えて，該ボデイ側に位置するナットの後端に形成してなることを特徴とする請求項１に記載のコンクリート躯体直付け用のヒンジ金物とし，請求項４に記載の発明は，同じく上記コンクリート躯体側のヒンジ部材におけるナット，特にボデイ側に位置するナットに対して起立可能に一体としてボルトの締着を行って，作業性を向上するように，これを，上記一対ボデイ側に位置するナットを，ボデイの長孔縁部にナット受止部を形成するように該ボデイに刳り貫き形成したナット受入部に嵌合することによって，該ボデイをナットに対して起立可能としてなることを特徴とする請求項１，２又は３に記載のコンクリート躯体直付け用のヒンジ金物とし，請求項５に記載の発明は，上記コンクリート躯体側のヒンジ部材におけるボルト頭が，ボデイから間口方向に大きく突出して，外観を損なったり，扉と当り，その開閉のための回動を阻害したりすることを防止し得るように，これを，上記ボルトを，ボデイの長孔縁部にボルト頭受入部を形成するようにボデイを刳り貫き形成したボルト受入部に受入れることによって，該ボルト頭をボデイに収納してなることを特徴とする請求項１，２又は３に記載のコンクリート躯体直付け用のヒンジ金物とし，請求項６に記載の発明は，上記第２の課題にそって，これを，上記扉側のヒンジ部材が，扉に上下方向調節自在に固定可能であることによって，上下方向を含めた３方向の調整を自在としてなることを特徴とする請求項１，２，３又は４に記載のコンクリート躯体直付け用のヒンジ金物とし，これらをそれぞれ発明の要旨として上記課題解決の手段と
【０００６】
【発明の実施の形態】
以下マンションにおける住戸入口の対向するコンクリート壁面間の間口に門扉を設置する場合の例を示す図面に従って更に具体的に本発明を説明すれば，図１乃至図７において，Ａはコンクリート躯体Ｂ直付け用のヒンジ金物，Ｃは門扉であり，該ヒンジ金物Ａは，それぞれに形成したヒンジ軸３とヒンジ軸受１９とを相互に嵌合して回転自在としたコンクリート躯体側と扉側のヒンジ部材１，１８を備えてコンクリート躯体Ｂに対して扉Ｃを固定自在としてあり，このとき上記コンクリート躯体側のヒンジ部材１を，ヒンジ軸３又はヒンジ軸受１９を有するボデイ２と，該ボデイ２に形成した内外方向の長孔４を介して該ボデイ２を貫通するボルト７と，該ボルト７螺装するねじ穴を後端に形成したねじ棒１０と，該ねじ棒１０に螺装した少なくとも一対のナット１３，１４とを具備して，コンクリート躯体Ｂ埋込設置のアンカー２４に上記ねじ棒１０を螺装することによってコンクリート躯体Ｂ固定用とするとともに該ヒンジ部材１の上記ボルト７を上記一対のうちボデイ側に位置するナット１４とともにボデイ２を挟着することによってボデイ２に対して上記長孔４の範囲でねじ棒１０を内外方向調整自在に締着固定する内外方向調整用とし，上記アンカー側に位置するナット１３を上記アンカー２４に螺装したねじ棒１０を突出長さ調整自在に締着固定する間口方向調整用とすることによって，コンクリート躯体Ｂに対して内外方向と間口方向の２方向の調整を自在としたものとしてあり，本例のヒンジ金物Ａは，上記扉側のヒンジ部材１８が，扉Ｃに上下方向調整自在に固定可能であることによって，上下方向を含めた３方向の調整を自在としたものとしてある。
【０００７】
本例にあってヒンジ金物Ａにおけるヒンジ軸３は，これを上記コンクリート躯体側のヒンジ部材１に，ヒンジ軸受１９は，これを扉側のヒンジ部材１８に，それぞれ形成したものとし，これらヒンジ軸３とヒンジ軸受１９とを相互に嵌合して，コンクリート躯体側のヒンジ部材１に扉側のヒンジ部材１８を回転自在とし，コンクリート躯体側のヒンジ部材１をコンクリート躯体Ｂに，扉側のヒンジ部材１８を扉Ｃにそれぞれ固定して，コンクリート躯体Ｂに扉Ｃを開閉自在に吊り固定するものとしてある。
【０００８】
コンクリート躯体側のヒンジ部材１におけるボデイ２は，例えば平面において楕円，円，方形，矩形等の中実のブロック状又は中空のボックス状にして，その胴部に，間口方向に貫通し内外方向に長楕円状等の長孔４を透設するとともにその上面に上記ヒンジ軸３を起立固定して配設したものとしてあり，このとき本例のボデイ２は，そのボルト螺装側の一側面において，該ボデイ２の長孔４縁部にボルト受入部を形成するようにボデイ２に刳り貫き形成した長孔４周縁のボルト受入部５を配設したものとし，またねじ棒１０設置側の他側面において，該ボデイ２の長孔４縁部にナット受入部を形成するように該ボデイ２に刳り貫き形成したナット受入部６，本例にあっては上記ボデイ側に位置するナット１４の径に合わせて該ナット１４とボデイ２の双方の回転を阻止する断面コ字状にボデイ２を刳り貫きして設置したナット受入部６を配設したものとしてある。
【０００９】
ボルト７は，所定長さ，特にボデイ２を貫通してねじ棒１０に螺装可能な程度にボデイ２よりやや長い比較的短寸の長さのボルト軸とこれに応じたボルト頭を備えて，上記ボデイ２の長孔４を介して該ボデイ２をコンクリート躯体Ｂ側に貫通するものとし，このとき該ボルト７のボルト頭は，これを，上記ボルト受入部５に受入れることによって，該ボルトのボルト頭をボデイ２に収容するものとしてあり，本例において該ボルト頭８は，これを上記ボルト受止部に回転自在に受止めした状態で，上記ボルト受入部５内に没入するように収容するものとしてあり，またこのとき本例のボルト頭は，工具によって該ボルト７を回転可能とする工具受部８，本例において６角レンチを受け入れる６角穴とした工具受部８を備えたものとしてある。
【００１０】
ねじ棒１０は，所定長さ，特に間口方向の調整長さに応じた長さを有して，その全長に雄ねじを刻設したものとするとともに，本例においてその後端，即ちその端面に上記ボルト７の軸径に合わせた径にして内側に雄ねじを刻設したボルト受けをなす上記ねじ穴１１を穿設したものとしてある。
【００１１】
一対のナット１３，１４は，本例にあってボデイ側に位置するナット１４を，ねじ棒１０の後端に螺装する袋ナット状のナットとし，上記ボルト７を該ボデイ側に位置するナット１４の後端に透設した透孔１５を介してねじ棒１０のねじ穴１１に螺装可能としてあり，本例において該袋状のナットは，これを，そのボデイ２側の端面をボデイ２の上記ナット受止部に対接する対接面とするとともに該対接面に上記ボルト７のボルト軸を挿通する透孔１５を透設し，非貫通に袋状にして，上記ボデイ２における断面コ字状に刳り貫き設置した上記ナット受入部６に嵌合する形状，特に円形の外周に平坦な対向平坦面を形成して，該対向平坦面が嵌合するようにした平坦面を対向して有する楕円類似形状のものとしてあり，一方アンカ−側に位置するナット１３は，これをねじ棒１０の長手方向に回転移動自在の，例えば６角ナットによるものとしてある。
【００１２】
このようにボデイ２，ボルト７，ねじ棒１０及び一対のナット１３，１４を備えたコンクリート躯体側のヒンジ部材１において，上記ボルト７は，これをボデイ側に位置するナット１４とともに上記内外方向調整用とし，またアンカ−側に位置するナット１３は，これを上記間口方向調整用としてある。
【００１３】
即ちコンクリート躯体側のヒンジ部材１は，例えばねじ棒１０にアンカ−側に位置するナット１３と手回し用にボデイ側のナット１４の双方を螺装し，該ねじ棒１０を回転することによって，コンクリート躯体Ｂの門扉設置位置に埋込設置したプラグアンカ−，フィッシャ−アンカ−等のアンカ−２４に対してこれを螺装して設置するとともに該ねじ棒１０を適宜に回転することによって，そのアンカ−２４からの突出長さ，即ちコンクリート躯体Ｂからの突出長さを定めた上，アンカ−側に位置するナット１３を締着し，次いでボデイ側に位置するナット  １４を，ナット受止部に対接するようにナット受入部６に嵌合することによって，ねじ棒１０にボデイ２を設置し，ボデイ側に位置するナット１４を介してボデイ２側からボルト７を上記ねじ棒１０のねじ穴１１に螺装して仮締着し，然るボデイ２を長孔４の範囲でスライドするように移動することによって，そのねじ棒１０に対する相対位置を定めて，該ボルト７を本締めの螺装を行い本締着するように使用するものとし，これによってアンカ−側に位置するナット１３を上記間口方向調整用とし，またボルト７をボデイ側に位置するナット１４とともに上記内外方向調整用としてある。
【００１４】
垂直なフラット面をなすコンクリート躯体Ｂの門扉設置位置に埋込設置した，例えばプラグアンカー，フィシャーアンカー等のアンカー２４に対して螺装したねじ棒１０は，アンカー側に位置するナット１３を緩めた状態で，その回転によるアンカー２４からの突出長さの調整が可能である一方，その締着を行なうことによって，ねじ棒１０の上記突出長さを維持するようにその締着固定を行なうことができるから，該アンカー側に位置するナット１３は，これを間口方向の調整とねじ棒１０の固定によるその調整状態維持の作用を備えたものとなり，一方上記ボルト７は，この間口方向の調整後に，これを緩めた状態とすれば，ボデイ２の長孔４の範囲で，ねじ棒１０に対するボデイ２の位置を内外方向に移動してその調整が可能である一方，その本締め螺装，即ち本締め締着を行なうことよって，ねじ棒１０に対するボデイ２の相対位置関係を維持するように，ボデイ側に位置するナット１４のボデイ２に対する対接固定，即ち本例にあってはナット受入部６への嵌合によるナット受止部への対接固定の状態で，これとともにボデイ２の締着固定を行なうことができるから，該ボルト７は，これを内外方向の調整とその調整状態維持の作用を備えたものとなり，これにより上記一対のアンカ−側に位置するナット１３と上記ボルト７は，それぞれその作用を分担して，それぞれ上記間口方向調整用，内外方向調整用として，これら双方の調整を可能とした調整用のものとすることができ，従ってコンクリート躯体側のヒンジ部材１は，ヒンジ金物Ａにあって，コンクリート躯体Ｂに対して，上記内外方向と間口方向の２方向の調整を自在とし得るようにしてある。
【００１５】
本例にあって扉側のヒンジ部材１８は，例えば上記ヒンジ軸３に合わせたヒンジ軸受１９を備えて，扉Ｃの吊り元框に形成したＣ字状のスライド溝２２にスライド自在に嵌合した裏板２０に対してねじ２１止めし，スライド溝２０を画する対向するフランジを挟着することによって，扉Ｃに上下方向調整自在に固定可能としたものとしてあり，該扉側のヒンジ部材１８は，これを扉Ｃに予め設置した上，コンクリート躯体Ｂに設置した上記コンクリート躯体側のヒンジ部材１に，ヒンジ軸受１９をその上向きのヒンジ軸３に対して差し込むようにすることによって，上記ヒンジ金物Ａを構成し，本例にあって扉Ｃを上記３方向調整自在に吊り固定するものとしてある。
【００１６】
図中８及び図中９は，他の例に係るコンクリート躯体側のヒンジ部材１を示すもので，本例にあって該ヒンジ部材１は，上記一対のうちボデイ側に位置するナット１４を，ねじ棒１０の後端に螺装する袋ナット状のナットとし，ボルト７を螺装するねじ穴１６を，上記ねじ棒の後端に代えて，該ボデイ側に位置するナット１４の後端に形成したものとし，上記例のボルト７の螺装の対象を，ねじ棒１０に螺装した該袋状のナットとすることによって，上記例と同様にボルト７の締着によってボデイ２を挟着するものとしてある。本例の該袋ナット状のナットは，ボデイ２側の後端を厚くして，上記ボルト７を螺装する十分な長さを有するとともに非貫通の袋状のものとしてねじ棒１０の後端に螺装可能として構成してあり，その余は上記例と変わらないので，同一符号を付してその説明を省略する。
【００１７】
図中９はコンクリート躯体側のヒンジ部材１におけるボルト７のワッシャ−，１２はアンカ−側に位置するナット１３のワッシャ−，１７は，コンクリート躯体側のヒンジ部材１においてアンカ−２３に対して締着固定するねじ棒１０の突出長さに応じて上記一対のナット１３，１４間を被覆するように設置した，図１乃至図７の例にあって嵌め込み用のスリットを有する円筒状にして弾性ある合成樹脂等の材料による現場切断可能のものとし，図８及び図９の例にあってボデイ側に位置するナット１４すスライド自在に設けて，スライドすることによってアンカ−側に位置するナット１３をカバ−するボデイ側を径小化し，アンカ−側を径大化した円筒状にして合成樹脂，アルミ等の材料によるカバ−部材，２３は扉側のヒンジ部材１９におけるヒンジ軸受２０の穴塞ぎ用キャップである。
【００１８】
図示した例は以上のとおりとしたが，一対のナットを，例えば６角ナット等のねじ棒長手方向に回転自在の回転ナットによるものとし，ボデイ側に位置するナットを，上記ナット受入部を設置したときねじ棒の後端に，これを設置しないときねじ棒の後端近傍に螺装して，上記ボルトをねじ棒に螺装するようにすること，ヒンジ軸受をコンクリート躯体側のヒンジ部材に，ヒンジ軸を扉側のヒンジ部材にそれぞれ形成するようにすること，ボルトに螺装したナットは，上記ボデイ側とアンカー側の少なくとも一対を必要とするが，それぞれをダブルナットとし，または一方をダブルナットとする如くに，３乃至それ以上の一対を超える数のものとすること，扉側のヒンジ部材を上下方向調整自在のものとするとき，従前の門扉等における上下方向調整手段を適宜に使用すること，コンクリート躯体をコンクリート柱面とすること，上記門扉に代えて，ヒンジ金物をドアの吊り固定に使用するようにすること等を含めて，本発明の実施に当っては，コンクリート躯体側のヒンジ部材，そのボデイ，ボルト，ナット，アンカー，扉側のヒンジ部材，扉，必要に応じて用いる扉側のヒンジ部材の上下調整手段，工具受部，ナット受止部，ボルト受入部等の各具体的材質，形状，構造，寸法，数，これらの関係，これらに対する付加等は，上記各発明の要旨に反しない限り適宜に変更することによって，様々の形態のものとすることができる。
【００１９】
【発明の効果】
本発明は以上のとおりに構成したので，請求項１に記載の発明は，可及的に簡易な構造にしてコンクリート躯体に対して内外方向と間口方向の２方向の調整を自在とするコンクリート躯体側のヒンジ部材を有するコンクリート直付け用のヒンジ金物を提供することができ，請求項２又は３に記載の発明は，アンカ−にねじ棒を螺装するについて手回し用のものとすることができるとともにボデイ側に位置するナットの螺装によってねじ棒に対する回転を防止し，ナットの緩みによるヒンジ金物の取付けの不安定化を防止でき，それぞれ好ましい形態のものとすることができ，請求項４に記載の発明は，ボデイ側に位置するナットとボデイとの相対位置関係を固定し，ねじ棒に対してボデイを起立することができ，請求項５に記載の発明は，ボルト頭をボデイに収容することによって，これがボデイから間口方向に大きく突出して，外観をそこなったり，扉の開閉のための回動を阻害したりすることを防止するものとでき，請求項６に記載の発明は，扉側のヒンジ部材における上下方向の調整を加えて３方向の調整を自在とするコンクリート躯体直付け用のヒンジ金物を提供することができる。
【図面の簡単な説明】
【図１】コンクリート躯体と門扉の関係を示す縦断面図である。
【図２】コンクリート躯体と門扉の関係を示す横断面図である。
【図３】コンクリート躯体側のヒンジ部材の分解斜視図である。
【図４】コンクリート躯体側のヒンジ部材の取付け状態を示す平面図である。
【図５】コンクリート躯体側のヒンジ部材の縦断面図である。
【図６】扉側のヒンジ部材の分解斜視図である。
【図７】ヒンジ金物と扉との関係を示す平面図である。
【図８】他の例のコンクリート躯体側のヒンジ部材を示す分解斜視図である。
【図９】図８のコンクリート躯体側のヒンジ部材における縦断面図である。
【符号の説明】
Ａ  ヒンジ金物
Ｂ  コンクリート躯体
Ｃ  扉
１  コンクリート躯体側のヒンジ部材
２  ボデイ
３  ヒンジ軸
４    長孔
５  ボルト受止部
６  ナット受止部
７  ボルト
１０  ねじ棒
１３  ナット
１４  ナット
１８  扉側のヒンジ部材
１９  ヒンジ軸受
２４  アンカー
【図１】
0003659828.tif 000002
【図２】
0003659828.tif 000003
【図３】
0003659828.tif 000004
【図４】
0003659828.tif 000005
【図５】
0003659828.tif 000006
【図６】
0003659828.tif 000007
【図７】
0003659828.tif 000008
【図８】
0003659828.tif 000009
【図９】
0003659828.tif 000010